(57)【特許請求の範囲】
【請求項１】
撮像手段が撮像して取得した撮像データを撮像データ送信手段から画像処理サーバに送信させ、画像処理データ受信手段が画像処理サーバから受信した画像処理データを認識し、画像処理データに対応する画像を表示手段に表示させる制御手段を備えた携帯端末と、
撮像データ受信手段が携帯端末から受信した撮像データを画像処理し、画像処理して取得した画像処理データを画像処理データ送信手段から携帯端末に送信させる制御手段を備えた画像処理サーバとを具備した画像処理システムにおいて、
携帯端末において、前記制御手段は、画像処理データを認識不可であることを検出したときには、報知手段に報知動作を行わせ、前記報知手段に報知動作を行わせた後には、前記撮像手段が連続撮像して取得した複数の撮像データを平均化し、平均化した撮像データを前記撮像データ送信手段から画像処理サーバに送信させ、
画像処理サーバにおいて、前記制御手段は、前記撮像データ受信手段が携帯端末から受信した平均化された撮像データを画像処理することを特徴とする画像処理システム。
【請求項２】
撮像手段が撮像して取得した撮像データを撮像データ送信手段から画像処理サーバに送信させ、画像処理データ受信手段が画像処理サーバから受信した画像処理データを認識し、画像処理データに対応する画像を表示手段に表示させる制御手段を備えた携帯端末と、
撮像データ受信手段が携帯端末から受信した撮像データを画像処理し、画像処理して取得した画像処理データを画像処理データ送信手段から携帯端末に送信させる制御手段を備えた画像処理サーバとを具備した画像処理システムにおいて、
携帯端末において、前記制御手段は、画像処理データを認識不可であることを検出したときには、報知手段に報知動作を行わせ、前記報知手段に報知動作を行わせた後には、前記撮像手段が連続撮像して取得した複数の撮像データを前記撮像データ送信手段から画像処理サーバに送信させ、
画像処理サーバにおいて、前記制御手段は、前記撮像データ受信手段が携帯端末から受信した複数の撮像データを平均化し、平均化した撮像データを画像処理することを特徴とする画像処理システム。
【請求項３】
撮像手段が撮像して取得した撮像データを撮像データ送信手段から画像処理サーバに送信させ、画像処理データ受信手段が画像処理サーバから受信した画像処理データを認識し、画像処理データに対応する画像を表示手段に表示させる制御手段を備えた携帯端末と、
撮像データ受信手段が携帯端末から受信した撮像データを画像処理し、画像処理して取得した画像処理データを画像処理データ送信手段から携帯端末に送信させる制御手段を備えた画像処理サーバとを具備した画像処理システムにおいて、
画像処理サーバにおいて、前記制御手段は、撮像データを画像処理する際にエラーが発生したことを検出したときには、撮像データを画像処理する際にエラーが発生したことを示すエラー通知情報を前記画像処理データ送信手段から携帯端末に送信させ、
携帯端末において、前記制御手段は、前記画像処理データ受信手段が画像処理サーバからエラー通知情報を受信したときには、報知手段に報知動作を行わせ、前記報知手段に報知動作を行わせた後には、前記撮像手段が連続撮像して取得した複数の撮像データを平均化し、平均化した撮像データを前記撮像データ送信手段から画像処理サーバに送信させ、
画像処理サーバにおいて、前記制御手段は、前記撮像データ受信手段が携帯端末から受信した平均化された撮像データを画像処理することを特徴とする画像処理システム。
【請求項４】
撮像手段が撮像して取得した撮像データを撮像データ送信手段から画像処理サーバに送信させ、画像処理データ受信手段が画像処理サーバから受信した画像処理データを認識し、画像処理データに対応する画像を表示手段に表示させる制御手段を備えた携帯端末と、
撮像データ受信手段が携帯端末から受信した撮像データを画像処理し、画像処理して取得した画像処理データを画像処理データ送信手段から携帯端末に送信させる制御手段を備えた画像処理サーバとを具備した画像処理システムにおいて、
画像処理サーバにおいて、前記制御手段は、撮像データを画像処理する際にエラーが発生したことを検出したときには、撮像データを画像処理する際にエラーが発生したことを示すエラー通知情報を前記画像処理データ送信手段から携帯端末に送信させ、
携帯端末において、前記制御手段は、前記画像処理データ受信手段が画像処理サーバからエラー通知情報を受信したときには、報知手段に報知動作を行わせ、前記報知手段に報知動作を行わせた後には、前記撮像手段が連続撮像して取得した複数の撮像データを前記撮像データ送信手段から画像処理サーバに送信させ、
画像処理サーバにおいて、前記制御手段は、前記撮像データ受信手段が携帯端末から受信した複数の撮像データを平均化し、平均化した撮像データを画像処理することを特徴とする画像処理システム。
【請求項５】
携帯端末から受信した撮像データを画像処理し、画像処理して取得した画像処理データを携帯端末に送信するように構成された画像処理サーバを具備した画像処理システム内の携帯端末において、
撮像手段が撮像して取得した撮像データを撮像データ送信手段から画像処理サーバに送信させ、画像処理データ受信手段が画像処理サーバから受信した画像処理データを認識し、画像処理データに対応する画像を表示手段に表示させる制御手段を備えた携帯端末であって、
前記制御手段は、画像処理データを認識不可であることを検出したときには、報知手段に報知動作を行わせ、前記報知手段に報知動作を行わせた後には、前記撮像手段が連続撮像して取得した複数の撮像データを平均化し、平均化した撮像データを前記撮像データ送信手段から画像処理サーバに送信させることを特徴とする携帯端末。
【請求項６】
携帯端末から受信した撮像データを画像処理し、画像処理して取得した画像処理データを携帯端末に送信するように構成された画像処理サーバを具備した画像処理システム内の携帯端末において、
撮像手段が撮像して取得した撮像データを撮像データ送信手段から画像処理サーバに送信させ、画像処理データ受信手段が画像処理サーバから受信した画像処理データを認識し、画像処理データに対応する画像を表示手段に表示させる制御手段を備えた携帯端末であって、
前記制御手段は、画像処理データを認識不可であることを検出したときには、報知手段に報知動作を行わせ、前記報知手段に報知動作を行わせた後には、前記撮像手段が連続撮像して取得した複数の撮像データを前記撮像データ送信手段から画像処理サーバに送信させることを特徴とする携帯端末。
【請求項７】
撮像して取得した撮像データを画像処理サーバに送信し、画像処理サーバから受信した画像処理データを認識し、画像処理データに対応する画像を表示し、画像処理サーバからエラー通知情報を受信したときには、報知動作を行うように構成された携帯端末を具備した画像処理システム内の画像処理サーバにおいて、
撮像データ受信手段が携帯端末から受信した撮像データを画像処理し、画像処理して取得した画像処理データを画像処理データ送信手段から携帯端末に送信させる制御手段を備えた画像処理サーバであって、
前記制御手段は、撮像データを画像処理する際にエラーが発生したことを検出したときには、撮像データを画像処理する際にエラーが発生したことを示すエラー通知情報を前記画像処理データ送信手段から携帯端末に送信させ、前記撮像データ受信手段が携帯端末から受信した平均化された撮像データを画像処理することを特徴とする画像処理サーバ。
【請求項８】
撮像して取得した撮像データを画像処理サーバに送信し、画像処理サーバから受信した画像処理データを認識し、画像処理データに対応する画像を表示し、画像処理サーバからエラー通知情報を受信したときには、報知動作を行うように構成された携帯端末を具備した画像処理システム内の画像処理サーバにおいて、
撮像データ受信手段が携帯端末から受信した撮像データを画像処理し、画像処理して取得した画像処理データを画像処理データ送信手段から携帯端末に送信させる制御手段を備えた画像処理サーバであって、
前記制御手段は、撮像データを画像処理する際にエラーが発生したことを検出したときには、撮像データを画像処理する際にエラーが発生したことを示すエラー通知情報を前記画像処理データ送信手段から携帯端末に送信させ、前記撮像データ受信手段が携帯端末から受信した複数の撮像データを平均化し、平均化した撮像データを画像処理することを特徴とする画像処理サーバ。
【発明の詳細な説明】
【０００１】
【発明の属する技術分野】
本発明は、携帯端末が撮像して取得した撮像データを画像処理サーバに送信し、画像処理サーバが携帯端末から受信した撮像データを画像処理するように構成された画像処理システム、前記画像処理システム内の携帯端末ならびに前記画像処理システム内の画像処理サーバに関する。
【０００２】
【発明が解決しようとする課題】
従来より、カメラを備えた携帯電話機が供されており、この種の携帯電話機によれば、カメラが撮像して取得した画像を電子メールに添付して送信することができたり、カメラが撮像して取得した画像を待受画面や着信画面として表示させたりすることができるなど、娯楽性を高めることができる。ところで、この種の携帯電話機においては、低価格化を実現するために、処理能力が比較的低いＣＰＵ（Central Processing Unit ）を採用する構成が考えられている。また、それに伴って、ＣＰＵの処理を軽減するために、カメラが撮像して取得した撮像データを携帯電話機にて画像処理するのではなく、撮像データをネットワークを通じて画像処理サーバに送信することによって、撮像データを画像処理サーバにて画像処理する構成が考えられている。
【０００３】
すなわち、携帯電話機は、カメラが撮像して取得した撮像データを画像処理サーバに送信する。画像処理サーバは、携帯電話機から撮像データを受信すると、受信した撮像データを画像処理し、画像処理して取得した画像処理データを携帯電話機に送信する。そして、携帯電話機は、画像処理サーバから画像処理データを受信すると、受信した画像処理データを認識し、画像処理データに対応する画像をディスプレイに表示する。
【０００４】
また、この種の携帯電話機においては、同じく低価格化を実現すると共に、消費電力の低減化や生産性の向上を期待できるなどの理由から、カメラとしてＣＭＯＳ（Complementary Metal Oxide Semiconductor ）センサを採用する構成が考えられている。ところで、ＣＭＯＳセンサは、ＣＣＤ（Charge Coupled Device ）センサと比較すると、画素数が少なく、感度に劣るという事情がある。そのため、カメラとしてＣＭＯＳセンサを採用する構成では、撮像データが画像処理される際にエラーが発生する虞がある。
【０００５】
しかしながら、携帯電話機を使用する人は、撮像データが画像処理される際にエラーが発生した場合であっても、その旨を認識できないことから、仮に撮像データが画像処理される際にエラーが発生し、それに起因して、撮像能力が低下しても、撮像能力が低下した原因が、撮像データが画像処理される際にエラーが発生したことによるものであることを認識することができず、このような点において、使い勝手に劣るものである。
【０００６】
本発明は、上記した事情に鑑みてなされたものであり、その目的は、撮像データが画像処理される際にエラーが発生したことを的確に報知することができ、それによって、使い勝手を高めることができる画像処理システム、前記画像処理システム内の携帯端末ならびに前記画像処理システム内の画像処理サーバを提供することにある。
【０００７】
【課題を解決するための手段】
請求項１記載の画像処理システムによれば、携帯端末において、制御手段は、撮像手段が撮像すると、撮像手段が撮像して取得した撮像データを撮像データ送信手段から画像処理サーバに送信させる。画像処理サーバにおいて、制御手段は、撮像データ受信手段が携帯端末から撮像データを受信すると、受信された撮像データを画像処理し、画像処理して取得した画像処理データを画像処理データ送信手段から携帯端末に送信させる。そして、携帯端末において、制御手段は、画像処理データ受信手段が画像処理サーバから画像処理データを受信すると、受信された画像処理データを認識し、画像処理データに対応する画像を表示手段に表示させる。
【０００８】
このとき、携帯端末において、制御手段は、画像処理データを認識不可であることを検出すると、報知手段に報知動作を行わせるように構成したので、一般的には、画像処理データを認識不可であることが、撮像データが画像処理される際にエラーが発生したことに起因すると推定されることから、撮像データが画像処理される際にエラーが発生したことを、携帯端末を使用する人に的確に報知することができる。
【０００９】
したがって、携帯端末を使用する人は、報知動作が行われたことを認識することによって、撮像データが画像処理される際にエラーが発生したことを認識することができ、仮に撮像能力が低下しても、撮像能力が低下した原因の一つが、撮像データが画像処理される際にエラーが発生したことによるものであることを認識することができ、これによって、使い勝手を高めることができる。
また、携帯端末において、制御手段は、報知手段に報知動作を行わせた後には、撮像手段が連続撮像して取得した複数の撮像データを平均化し、平均化した撮像データを撮像データ送信手段から画像処理サーバに送信させ、そして、画像処理サーバにおいて、制御手段は、撮像データ受信手段が携帯端末から平均化された撮像データを受信すると、受信された平均化された撮像データを画像処理するように構成したので、通常の撮像データが画像処理されるのではなく、連続撮像されて平均化された撮像データが画像処理されることから、これ以降、撮像データが的確に画像処理され易くなり、撮像能力を高めることができる。
請求項２記載の画像処理システムによれば、携帯端末において、制御手段は、報知手段に報知動作を行わせた後には、撮像手段が連続撮像して取得した複数の撮像データを撮像データ送信手段から画像処理サーバに送信させ、そして、画像処理サーバにおいて、制御手段は、撮像データ受信手段が携帯端末から受信した複数の撮像データを平均化し、平均化した撮像データを画像処理するように構成したので、上記した請求項１に記載したものと同様にして、通常の撮像データが画像処理されるのではなく、連続撮像されて平均化された撮像データが画像処理されることから、これ以降、撮像データが的確に画像処理され易くなり、撮像能力を高めることができる。また、この場合は、上記した請求項１に記載したものと比較すると、複数の撮像データを平均化する処理を携帯端末にて行うのではなく、平均化する処理を画像処理サーバにて行うように構成したので、その分、携帯端末の負担を軽減することをもできる。
【００１０】
請求項３記載の画像処理システムによれば、携帯端末において、制御手段は、撮像手段が撮像すると、撮像手段が撮像して取得した撮像データを撮像データ送信手段から画像処理サーバに送信させる。画像処理サーバにおいて、制御手段は、撮像データ受信手段が携帯端末から撮像データを受信すると、受信された撮像データを画像処理し、画像処理して取得した画像処理データを画像処理データ送信手段から携帯端末に送信させる。そして、携帯端末において、制御手段は、画像処理データ受信手段が画像処理サーバから画像処理データを受信すると、受信された画像処理データを認識し、画像処理データに対応する画像を表示手段に表示させる。
【００１１】
このとき、画像処理サーバにおいて、制御手段は、撮像データを画像処理する際にエラーが発生したことを検出すると、撮像データを画像処理する際にエラーが発生したことを示すエラー通知情報を画像処理データ送信手段から携帯端末に送信させ、そして、携帯端末において、制御手段は、画像処理データ受信手段が画像処理サーバからエラー通知情報を受信すると、報知手段に報知動作を行わせるように構成したので、上記した請求項１に記載したものと同様にして、撮像データが画像処理される際にエラーが発生したことを、携帯端末を使用する人に的確に報知することができる。
【００１２】
したがって、携帯端末を使用する人は、報知動作が行われたことを認識することによって、撮像データが画像処理される際にエラーが発生したことを認識することができ、仮に撮像能力が低下しても、撮像能力が低下した原因の一つが、撮像データが画像処理される際にエラーが発生したことによるものであることを認識することができ、これによって、使い勝手を高めることができる。また、この場合は、上記した請求項１に記載したものと比較すると、撮像データを画像処理する際にエラーが発生したか否かの検出を画像処理サーバにて行うように構成し、つまり、携帯端末では、エラー通知情報を受信したか否かの検出を行えば良いので、その分、携帯端末の負担を軽減することをもできる。
また、携帯端末において、制御手段は、報知手段に報知動作を行わせた後には、撮像手段が連続撮像して取得した複数の撮像データを平均化し、平均化した撮像データを撮像データ送信手段から画像処理サーバに送信させ、そして、画像処理サーバにおいて、制御手段は、撮像データ受信手段が携帯端末から平均化された撮像データを受信すると、受信された平均化された撮像データを画像処理するように構成したので、通常の撮像データが画像処理されるのではなく、連続撮像されて平均化された撮像データが画像処理されることから、これ以降、撮像データが的確に画像処理され易くなり、撮像能力を高めることができる。
請求項４記載の画像処理システムによれば、携帯端末において、制御手段は、報知手段に報知動作を行わせた後には、撮像手段が連続撮像して取得した複数の撮像データを撮像データ送信手段から画像処理サーバに送信させ、そして、画像処理サーバにおいて、制御手段は、撮像データ受信手段が携帯端末から受信した複数の撮像データを平均化し、平均化した撮像データを画像処理するように構成したので、上記した請求項３に記載したものと同様にして、通常の撮像データが画像処理されるのではなく、連続撮像されて平均化された撮像データが画像処理されることから、これ以降、撮像データが的確に画像処理され易くなり、撮像能力を高めることができる。また、この場合は、上記した請求項３に記載したものと比較すると、複数の撮像データを平均化する処理を携帯端末にて行うのではなく、平均化する処理を画像処理サーバにて行うように構成したので、その分、携帯端末の負担を軽減することをもできる。
【００１５】
請求項５および６記載の携帯端末によれば、制御手段は、撮像手段が撮像すると、撮像手段が撮像して取得した撮像データを撮像データ送信手段から画像処理サーバに送信させる。画像処理サーバでは、携帯端末から撮像データを受信すると、受信された撮像データを画像処理し、画像処理して取得した画像処理データを携帯端末に送信する。そして、制御手段は、画像処理データ受信手段が画像処理サーバから画像処理データを受信すると、受信された画像処理データを認識し、画像処理データに対応する画像を表示手段に表示させる。
【００１６】
このとき、携帯端末において、制御手段は、画像処理データを認識不可であることを検出すると、報知手段に報知動作を行わせるように構成したので、上記した請求項１および２に記載したものと同様にして、撮像データが画像処理される際にエラーが発生したことを、携帯端末を使用する人に的確に報知することができ、携帯端末を使用する人は、報知動作が行われたことを認識することによって、撮像データが画像処理される際にエラーが発生したことを認識することができる。
【００１８】
請求項７および８記載の画像処理サーバによれば、携帯端末では、撮像すると、撮像して取得した撮像データを画像処理サーバに送信する。制御手段は、撮像データ受信手段が携帯端末から撮像データを受信すると、受信された撮像データを画像処理し、画像処理して取得した画像処理データを画像処理データ送信手段から携帯端末に送信させる。そして、携帯端末では、画像処理サーバから画像処理データを受信すると、受信された画像処理データを認識し、画像処理データに対応する画像を表示する。
【００１９】
このとき、制御手段は、撮像データを画像処理する際にエラーが発生したことを検出すると、撮像データを画像処理する際にエラーが発生したことを示すエラー通知情報を画像処理データ送信手段から携帯端末に送信させ、そして、携帯端末では、画像処理サーバからエラー通知情報を受信すると、報知手段が報知動作を行うように構成したので、上記した請求項３および４に記載したものと同様にして、撮像データが画像処理される際にエラーが発生したことを、携帯端末を使用する人に的確に報知することができ、携帯端末を使用する人は、報知動作が行われたことを認識することによって、撮像データが画像処理される際にエラーが発生したことを認識することができる。
【００２４】
【発明の実施の形態】
（第１の実施の形態）
以下、本発明の携帯端末を携帯電話機に適用した第１実施例について、図１ないし図５を参照して説明する。
まず、図２は、携帯電話機の外観斜視図を示している。携帯電話機１において、本体２の表面部には、送話音声を入力するマイクロホン３、受話音声を出力するスピーカ４、ディスプレイ５（本発明でいう表示手段、報知手段）、「通話開始」キー、「通話終了」キー、「リダイヤル」キー、「スクロール」キーおよび「０」〜「９」の「数字」キーなどの多数のキーを配列してなるキーパッド６ならびに主として着信を報知するために点滅するＬＥＤ（Light Emitting Diode）７が配設されている。
【００２５】
また、本体２の裏面部には、主として着信を報知するための着信音（着信メロディを含む）を出力するサウンダ８、カメラ９（本発明でいう撮像手段）ならびにミラー１０が配設されている。さらに、本体２の上部には、アンテナ１１が配設されている。尚、カメラ９は、ＣＭＯＳ（Complementary Metal Oxide Semiconductor ）センサにより構成されている。
【００２６】
次に、図１は、上記した携帯電話機１、画像処理サーバならびに周辺の電気的な構成を機能ブロック図として示している。携帯電話機１において、マイクロコンピュータを主体としてなるＣＰＵ１２（本発明でいう携帯端末の制御手段）には、電話処理を行う電話回路１３（本発明でいう撮像データ送信手段、画像処理データ受信手段）、携帯電話機１の動作を制御する制御プログラム（本発明でいうプログラム）を記憶しているＲＯＭ（Read Only Memory）１４、上記したマイクロホン３、スピーカ４、ディスプレイ５、キーパッド６、ＬＥＤ７、サウンダ８ならびにカメラ９が接続されている。
【００２７】
また、画像処理サーバ１５において、マイクロコンピュータを主体としてなるＣＰＵ１６（本発明でいう画像処理サーバの制御手段）には、通信処理を行う通信回路１７（本発明でいう撮像データ受信手段、画像処理データ送信手段）ならびに画像処理サーバ１５の動作を制御する制御プログラムを記憶しているＲＯＭ１８が接続されている。
【００２８】
この場合、携帯電話機１は、カメラ９が撮像すると、カメラ９が撮像して取得した撮像データを基地局１９を通じて画像処理サーバ１５に送信する。画像処理サーバ１５は、携帯電話機１から基地局１９を通じて撮像データを受信すると、受信された撮像データを画像処理し、画像処理して取得した画像処理データを基地局１９を通じて携帯電話機１送信する。そして、携帯電話機１は、画像処理サーバ１５から基地局１９を通じて画像処理データを受信すると、受信された画像処理データを認識し、画像処理データに対応する画像をディスプレイ５に表示する。このような構成によって、携帯電話機１を使用する人は、カメラ９が撮像して取得した画像を確認することができる。
【００２９】
次に、上記した構成の作用について、図３ないし図５も参照して説明する。
まず、携帯電話機１において、ＣＰＵ１２は、キーパッド６にて撮像を行うためのキーが操作されたことを検出すると、撮像処理に移行する。ＣＰＵ１２は、撮像処理に移行すると、撮像指令をカメラ９に出力し、カメラ９に撮像動作を行わせる（ステップＳ１）。次いで、ＣＰＵ１２は、撮像データ送信指令を電話回路１３に出力し、カメラ９が撮像して取得した撮像データを電話回路１３から基地局１９を通じて画像処理サーバ１５に送信させる（ステップＳ２）。
【００３０】
画像処理サーバ１５において、ＣＰＵ１６は、携帯電話機１が送信した撮像データを基地局１９を通じて通信回路１７が受信したことを検出すると（ステップＴ１）、受信された撮像データを所定の画像処理アルゴリズムにしたがって画像処理し、画像処理データを取得する（ステップＴ２）。そして、ＣＰＵ１６は、画像処理データ送信指令を通信回路１７に出力し、画像処理して取得した画像処理データを基地局１９を通じて携帯電話機１に送信させる（ステップＴ３）。
【００３１】
携帯電話機１において、ＣＰＵ１２は、画像処理サーバ１５が送信した画像処理データを基地局１９を通じて電話回路１３が受信したことを検出すると（ステップＳ３）、受信された画像処理データを認識する（ステップＳ４）。ここで、ＣＰＵ１２は、画像処理データを認識可であれば、ステップＳ４において「ＹＥＳ」と判定し、画像表示指令をディスプレイ５に出力し、図５（ａ）に示すように、画像処理データに対応する画像をディスプレイ５に表示させる（ステップＳ５）。
【００３２】
これに対して、ＣＰＵ１２は、画像処理データを認識不可であれば、ステップＳ４において「ＮＯ」と判定し、画像処理データに対応する画像を表示させることはなく、エラーメッセージ表示指令をディスプレイ５に出力し、図５（ｂ）に示すように、例えば「画像処理でエラーが発生しました」というエラーメッセージをディスプレイ５に表示させる（ステップＳ６）。そして、ＣＰＵ１２は、キーパッド６にて連続撮像を行うためのキーが操作されたか否かを監視し、連続撮像を行うためのキーが操作されたことを検出すると、ステップＳ７において「ＹＥＳ」と判定し、これ以降、連続撮像処理に移行する（ステップＳ８）。
【００３３】
次に、連続撮像処理について説明する。携帯電話機１において、ＣＰＵ１２は、連続撮像処理に移行すると、連続撮像指令をカメラ９に出力し、カメラ９に撮像動作を所定回数（例えば５回）連続して行わせる（ステップＳ１１）。次いで、ＣＰＵ１２は、カメラ９が連続撮像して取得した複数の撮像データを平均化し（ステップＳ１２）、撮像データ送信指令を電話回路１３に出力し、平均化した撮像データを電話回路１３から基地局１９を通じて画像処理サーバ１５に送信させる（ステップＳ１３）。
【００３４】
画像処理サーバ１５において、ＣＰＵ１６は、先に説明した処理と同様の処理を行う。すなわち、ＣＰＵ１６は、携帯電話機１が送信した撮像データを基地局１９を通じて通信回路１７が受信したことを検出すると（ステップＴ１１）、受信された撮像データを所定の画像処理アルゴリズムにしたがって画像処理し、画像処理データを取得する（ステップＴ１２）。そして、ＣＰＵ１６は、画像処理データ送信指令を通信回路１７に出力し、画像処理して取得した画像処理データを基地局１９を通じて携帯電話機１に送信させる（ステップＴ１３）。
【００３５】
携帯電話機１において、ＣＰＵ１２は、画像処理サーバ１５が送信した画像処理データを基地局１９を通じて電話回路１３が受信したことを検出すると（ステップＳ１４）、受信された画像処理データを認識する（ステップＳ１５）。ここで、ＣＰＵ１２は、画像処理データを認識可であれば、ステップＳ１５において「ＹＥＳ」と判定し、画像表示指令をディスプレイ５に出力し、画像処理データに対応する画像をディスプレイ５に表示させる（ステップＳ１６）。
【００３６】
これに対して、ＣＰＵ１２は、画像処理データを認識不可であれば、ステップＳ１５において「ＮＯ」と判定し、画像処理データに対応する画像を表示させることはなく、エラーメッセージ表示指令をディスプレイ５に出力し、例えば「画像処理でエラーが発生しました」というエラーメッセージをディスプレイ５に表示させる（ステップＳ１７）。そして、ＣＰＵ１２は、キーパッド６にて連続撮像を継続して行うためのキーが操作されたか否かを監視し、連続撮像を継続して行うためのキーが操作されたことを検出すると、ステップＳ１８において「ＹＥＳ」と判定し、上記したステップＳ１１に戻り、以上に説明した処理を繰返して行う。尚、この場合は、カメラ９が撮像動作を連続して行う回数は、先の所定回数よりも大きな所定回数（例えば１０回）であっても良い。
【００３７】
ところで、以上は、携帯電話機１を使用する人が自分を撮像対象物に含めずに撮像する場合、つまり、カメラ９を撮像対象物側に向けるようにして撮像する場合を想定しているものであって、このような場合には、必然的にディスプレイ５が携帯電話機１を使用する人側となるので、エラーメッセージがディスプレイ５に表示されることによって、携帯電話機１を使用する人は、撮像データが画像処理される際にエラーが発生したことを認識することができる。
【００３８】
以上に説明したように第１実施例によれば、携帯電話機１において、画像処理サーバ１５から受信した画像処理データを認識不可であることを検出すると、例えば「画像処理でエラーが発生しました」というエラーメッセージをディスプレイ５に表示するように構成したので、一般的には、画像処理データを認識不可であることが、撮像データが画像処理される際にエラーが発生したことに起因すると推定されることから、撮像データが画像処理される際にエラーが発生したことを、携帯電話機１を使用する人に的確に報知することができる。したがって、携帯電話機１を使用する人は、エラーメッセージが表示されたことを認識することによって、撮像データが画像処理される際にエラーが発生したことを認識することができ、仮に撮像能力が低下しても、撮像能力が低下した原因の一つが、撮像データが画像処理される際にエラーが発生したことによるものであることを認識することができ、これによって、使い勝手を高めることができる。
【００３９】
また、携帯電話機１において、連続撮像を行うためのキーが操作されたことを検出すると、カメラ９が連続撮像して複数の撮像データを取得し、取得した複数の撮像データを平均化し、平均化した撮像データを画像処理サーバ１５に送信し、そして、画像処理サーバ１５において、携帯電話機１から平均化された撮像データを受信すると、受信した平均化された撮像データを画像処理するように構成したので、通常の撮像データが画像処理されるのではなく、連続撮像されて平均化された撮像データが画像処理されることから、これ以降、撮像データが的確に画像処理され易くなり、撮像能力を高めることができる。
【００４０】
（第２の実施の形態）
次に、本発明の第２実施例について、図６を参照して説明する。尚、上記した第１実施例と同一部分には同一ステップ番号を付して説明を省略し、以下、異なる部分について説明する。
上記した第１実施例では、携帯電話機１のＣＰＵ１２が画像処理サーバ１５から受信した画像処理データを認識可能であるか否かを判定し、撮像データが画像処理される際にエラーが発生したか否かを判定するものであるが、これに対して、この第２実施例では、画像処理サーバ１５のＣＰＵ１６が携帯電話機１から受信した撮像データを画像処理する際にエラーが発生したか否かを判定するものである。
【００４１】
すなわち、画像処理サーバ１５において、ＣＰＵ１６は、携帯電話機１から受信した撮像データを画像処理した後、撮像データを画像処理する際にエラーが発生したか否かを検出する（ステップＴ２１）。ここで、ＣＰＵ１６は、撮像データを画像処理する際にエラーが発生しなかったことを検出すると、ステップＴ２１において「ＮＯ」と判定し、画像処理データ送信指令を通信回路１７に出力し、画像処理して取得した画像処理データを基地局１９を通じて携帯電話機１に送信させる（ステップＴ３）。
【００４２】
これに対して、ＣＰＵ１６は、撮像データを画像処理する際にエラーが発生したことを検出すると、ステップＴ２１において「ＹＥＳ」と判定し、エラー通知情報送信指令を通信回路１７に出力し、撮像データを画像処理する際にエラーが発生したことを示すエラー通知情報を基地局１９を通じて携帯電話機１に送信させる（ステップＴ２２）。
【００４３】
携帯電話機１において、ＣＰＵ１２は、画像処理サーバ１５が送信した画像処理データ或いはエラー通知情報のいずれかを基地局１９を通じて電話回路１３が受信したかを検出し（ステップＳ２１）、画像処理データを受信したことを検出すると、画像表示指令をディスプレイ５に出力し、画像処理データに対応する画像をディスプレイ５に表示させる（ステップＳ５）。
【００４４】
これに対して、ＣＰＵ１２は、エラー通知情報を受信したことを検出すると、画像処理データに対応する画像を表示させることはなく、エラーメッセージ表示指令をディスプレイ５に出力し、例えば「画像処理でエラーが発生しました」というエラーメッセージをディスプレイ５に表示させる（ステップＳ６）。そして、ＣＰＵ１２は、キーパッド６にて連続撮像を行うためのキーが操作されたか否かを監視し、連続撮像を行うためのキーが操作されたことを検出すると、ステップＳ７において「ＹＥＳ」と判定し、これ以降、上記した第１実施例で説明した連続撮像処理に移行する（ステップＳ８）。
【００４５】
以上に説明したように第２実施例によれば、画像処理サーバ１５において、撮像データを画像処理する際にエラーが発生したことを検出すると、撮像データを画像処理する際にエラーが発生したことを示すエラー通知情報を携帯電話機１に送信し、そして、携帯電話機１において、画像処理サーバ１５からエラー通知情報を受信すると、例えば「画像処理でエラーが発生しました」というエラーメッセージをディスプレイ５に表示するように構成したので、上記した第１実施例に記載したものと同様にして、撮像データが画像処理される際にエラーが発生したことを、携帯電話機１を使用する人に的確に報知することができる。したがって、携帯電話機１を使用する人は、エラーメッセージが表示されたことを認識することによって、撮像データが画像処理される際にエラーが発生したことを認識することができ、仮に撮像能力が低下しても、撮像能力が低下した原因の一つが、撮像データが画像処理される際にエラーが発生したことによるものであることを認識することができ、これによって、使い勝手を高めることができる。
【００４６】
また、この場合は、上記した第１実施例に記載したものと比較すると、撮像データを画像処理する際にエラーが発生したか否かの検出を画像処理サーバ１５にて行うように構成し、つまり、携帯電話機１では、エラー通知情報を受信したか否かの検出を行えば良いので、その分、携帯電話機１の負担を軽減することをもできる。
【００４７】
（第３の実施の形態）
次に、本発明の第３実施例について、図７を参照して説明する。尚、上記した第１実施例ならびに第２実施例と同一部分には同一ステップ番号を付して説明を省略し、以下、異なる部分について説明する。
上記した第１実施例ならびに第２実施例では、携帯電話機１のＣＰＵ１２がカメラ９により連続撮像されて取得された複数の撮像データを平均化するものであるが、これに対して、この第３実施例では、画像処理サーバ１５のＣＰＵ１６がカメラ９により連続撮像されて取得された複数の撮像データを平均化するものである。
【００４８】
すなわち、携帯電話機１において、ＣＰＵ１２は、連続撮像処理に移行すると、連続撮像指令をカメラ９に出力し、カメラ９に撮像動作を所定回数連続して行わせた後（ステップＳ１１）、撮像データ送信指令を電話回路１３に出力し、カメラ９が連続撮像して取得した複数の撮像データを電話回路１３から基地局１９を通じて画像処理サーバ１５に送信させる（ステップＳ３１）。
【００４９】
画像処理サーバ１５において、ＣＰＵ１６は、携帯電話機１が送信した複数の撮像データを基地局１９を通じて通信回路１７が受信したことを検出すると（ステップＴ３１）、受信された複数の撮像データを平均化する（ステップＴ３２）。そして、ＣＰＵ１６は、平均化した撮像データを所定の画像処理アルゴリズムにしたがって画像処理し、画像処理データを取得し（ステップＴ１２）、画像処理データ送信指令を通信回路１７に出力し、画像処理して取得した画像処理データを基地局１９を通じて携帯電話機１に送信させる（ステップＴ１３）。
【００５０】
携帯電話機１において、ＣＰＵ１２は、画像処理サーバ１５が送信した画像処理データを基地局１９を通じて電話回路１３が受信したことを検出すると（ステップＳ１４）、これ以降、上記した第１実施例ならびに第２実施例で説明した処理を行う。
【００５１】
以上に説明したように第３実施例によれば、携帯電話機１において、連続撮像を行うためのキーが操作されたことを検出すると、カメラ９が連続撮像して複数の撮像データを取得し、連続撮像して取得した複数の撮像データを画像処理サーバ１５に送信し、そして、画像処理サーバ１５において、携帯電話機１から受信した複数の撮像データを平均化し、平均化した撮像データを画像処理するように構成したので、上記した第１実施例ならびに第２実施例に記載したものと同様にして、通常の撮像データが画像処理されるのではなく、連続撮像されて平均化された撮像データが画像処理されることから、これ以降、撮像データが的確に画像処理され易くなり、撮像能力を高めることができる。また、この場合は、上記した第１実施例ならびに第２実施例に記載したものと比較すると、複数の撮像データを平均化する処理を携帯電話機１にて行うのではなく、平均化する処理を画像処理サーバ１５にて行うように構成したので、その分、携帯電話機１の負担を軽減することをもできる。
【００５２】
（第４の実施の形態）
次に、本発明の第４実施例について、図８ないし図１０を参照して説明する。
上記した第１実施例、第２実施例ならびに第３実施例では、携帯電話機１が撮像して取得した撮像データを画像処理サーバ１５に送信し、画像処理サーバ１５が携帯電話機１から受信した撮像データを画像処理するように構成したものであるが、これに対して、この第４実施例では、携帯電話機１が撮像データを画像処理するように構成したものである。
【００５３】
図８は、携帯電話機の電気的な構成を機能ブロック図として示している。携帯電話機２１において、ＣＰＵ２２（本発明でいう制御手段）には、電話処理を行う電話回路２３、携帯電話機２１の動作を制御する制御プログラム（本発明でいうプログラム）を記憶しているＲＯＭ２４、マイクロホン２５、スピーカ２６、ディスプレイ２７（本発明でいう表示手段、報知手段）、キーパッド２８、ＬＥＤ２９、サウンダ３０ならびにカメラ３１（本発明でいう撮像手段）が接続されている。
【００５４】
この場合、携帯電話機２１は、カメラ３１が撮像すると、カメラ３１が撮像して取得した撮像データを画像処理し、画像処理して取得した画像処理データを認識し、画像処理データに対応する画像をディスプレイ２７に表示する。このような構成によって、携帯電話機２１を使用する人は、カメラ３１が撮像して取得した画像を確認することができる。
【００５５】
次に、上記した構成の作用について、図９および図１０も参照して説明する。
携帯電話機２１において、ＣＰＵ２２は、キーパッド２８にて撮像を行うためのキーが操作されたことを検出すると、撮像処理に移行する。ＣＰＵ２２は、撮像処理に移行すると、撮像指令をカメラ３１に出力し、カメラ３１に撮像動作を行わせる（ステップＳ４１）。次いで、ＣＰＵ２２は、カメラ３１が撮像して取得した撮像データを所定の画像処理アルゴリズムにしたがって画像処理し、画像処理データを取得し（ステップＳ４２）、画像処理して取得した画像処理データを認識する（ステップＳ４３）。ここで、ＣＰＵ２２は、画像処理データを認識可であれば、ステップＳ４３おいて「ＹＥＳ」と判定し、画像表示指令をディスプレイ２７に出力し、画像処理データに対応する画像をディスプレイ２７に表示させる（ステップＳ４４）。
【００５６】
これに対して、ＣＰＵ２２は、画像処理データを認識不可であれば、ステップＳ４３において「ＮＯ」と判定し、画像処理データに対応する画像を表示させることはなく、エラーメッセージ表示指令をディスプレイ２７に出力し、例えば  「画像処理でエラーが発生しました」というエラーメッセージをディスプレイ２７に表示させる（ステップＳ４５）。そして、ＣＰＵ２２は、キーパッド２８にて連続撮像を行うためのキーが操作されたか否かを監視し、連続撮像を行うためのキーが操作されたことを検出すると、ステップＳ４６において「ＹＥＳ」と判定し、これ以降、連続撮像処理に移行する（ステップＳ４７）。
【００５７】
ＣＰＵ２２は、連続撮像処理に移行すると、連続撮像指令をカメラ３１に出力し、カメラ３１に撮像動作を所定回数連続して行わせる（ステップＳ５１）。次いで、ＣＰＵ２２は、カメラ３１が連続撮像して取得した複数の撮像データを平均化する（ステップＳ５２）。そして、ＣＰＵ２２は、平均化した撮像データを所定の画像処理アルゴリズムにしたがって画像処理し、画像処理データを取得し（ステップＳ５３）、画像処理して取得した画像処理データを認識する（ステップＳ５４）。ここで、ＣＰＵ２２は、画像処理データを認識可であれば、ステップＳ５４において「ＹＥＳ」と判定し、画像表示指令をディスプレイ２７に出力し、画像処理データに対応する画像をディスプレイ２７に表示させる（ステップＳ５５）。
【００５８】
これに対して、ＣＰＵ２２は、画像処理データを認識不可であれば、ステップＳ５４において「ＮＯ」と判定し、画像処理データに対応する画像を表示させることはなく、エラーメッセージ表示指令をディスプレイ２７に出力し、例えば  「画像処理でエラーが発生しました」というエラーメッセージをディスプレイ２７に表示させる（ステップＳ５６）。そして、ＣＰＵ２２は、キーパッド２８にて連続撮像を継続して行うためのキーが操作されたか否かを監視し、連続撮像を継続して行うためのキーが操作されたことを検出すると、ステップＳ５７おいて「ＹＥＳ」と判定し、上記したステップＳ５１に戻り、以上に説明した処理を繰返して行う。尚、この場合も、カメラ３１が撮像動作を連続して行う回数は、先の所定回数よりも大きな所定回数（例えば１０回）であっても良い。
【００５９】
以上に説明したように第４実施例によれば、携帯電話機２１において、画像処理データを認識不可であることを検出すると、例えば「画像処理でエラーが発生しました」というエラーメッセージをディスプレイ２７に表示するように構成したので、上記した第１実施例に記載したものと同様にして、撮像データが画像処理される際にエラーが発生したことを、携帯電話機２１を使用する人に的確に報知することができる。したがって、携帯電話機２１を使用する人は、エラーメッセージが表示されたことを認識することによって、撮像データが画像処理される際にエラーが発生したことを認識することができ、仮に撮像能力が低下しても、撮像能力が低下した原因の一つが、撮像データが画像処理される際にエラーが発生したことによるものであることを認識することができ、これによって、使い勝手を高めることができる。
【００６０】
また、携帯電話機２１において、連続撮像を行うためのキーが操作されたことを検出すると、カメラ３１が連続撮像して複数の撮像データを取得し、取得した複数の撮像データを平均化し、平均化した撮像データを画像処理するように構成したので、通常の撮像データが画像処理されるのではなく、連続撮像されて平均化された撮像データが画像処理されることから、これ以降、撮像データが的確に画像処理され易くなり、撮像能力を高めることができる。
【００６１】
（その他の実施の形態）
本発明は、上記した実施例にのみ限定されるものでなく、次のように変形または拡張することができる。
携帯端末は、携帯電話機に限らず、携帯情報端末であっても良く、また、カメラが本体にあってディスプレイやキーパッドが配設された面とは反対側の面に配設される構成に限らず、カメラが本体にあってディスプレイやキーパッドが配設された面と同じ側の面に配設される構成であっても良い。さらに、カメラが本体に一体に設けられた構成に限らず、携帯電話機にカメラとの間のインタフェース機能を持たせることによって、カメラが本体に対して着脱可能な構成であっても良い。
【００６２】
報知動作としては、ディスプレイがエラーメッセージを表示する動作に限らず、ＬＥＤが点滅する動作や、サウンダが所定の音や所定の音声メッセージを出力する動作であっても良く、また、それらが選択的に動作する構成であっても良い。また、本体にあってカメラと同じ面に他のＬＥＤを配設し、撮像データが画像処理される際にエラーが発生したことを検出したときに、他のＬＥＤが点滅する構成であっても良く、そのように構成すれば、携帯電話機を使用する人が自分を撮像対象物に含めて撮像する場合、つまり、カメラを自分側に向けるようにして撮像する場合であっても、他のＬＥＤが点滅することによって、携帯電話機を使用する人は、撮像データが画像処理される際にエラーが発生したことを認識することができる。
【００６３】
撮像データが画像処理される際にエラーが発生した場合に、エラーメッセージのみをディスプレイに表示させる構成に限らず、エラーメッセージと共に、画像処理データに対応する画像をもディスプレイに表示させる構成であっても良い。
【００６４】
連続撮像を行うためのキーが操作されたことを条件として連続撮像処理に移行する構成に限らず、撮像データが画像処理される際にエラーが発生したことを検出すると、自動的に連続撮像処理に移行する構成であっても良い。また、連続撮像処理に移行する構成に限らず、撮像能力を高めるべく他の処理に移行する構成であっても良い。
【００６５】
最初に通常の撮像処理を行い、撮像データが画像処理される際にエラーが発生した後に、連続撮像処理に移行する構成に限らず、最初から連続撮像処理を行う構成であっても良い。
【００６６】
上記した制御プログラムは、製品を出荷する段階でＲＯＭに記憶される構成に限らず、例えば所定のキーを操作することによって、ネットワークから携帯電話機に配信され、インストールされる構成であっても良い。
【図面の簡単な説明】
【図１】本発明の第１実施例を示す機能ブロック図
【図２】携帯電話機の外観斜視図
【図３】撮像処理の内容を示すフローチャート
【図４】連続撮像処理の内容を示すフローチャート
【図５】表示の一例を示す図
【図６】本発明の第２実施例における撮像処理の内容を示すフローチャート
【図７】本発明の第３実施例における連続撮像処理の内容を示すフローチャート
【図８】本発明の第４実施例を示す機能ブロック図
【図９】図３相当図
【図１０】図４相当図
【符号の説明】
図面中、１は携帯電話機（携帯端末）、５はディスプレイ（表示手段、報知手段）、９はカメラ（撮像手段）、１２はＣＰＵ（携帯端末の制御手段）、１３は電話回路（撮像データ送信手段、画像処理データ受信手段）、１５は画像処理サーバ、１６はＣＰＵ（画像処理サーバの制御手段）、１７は通信回路（撮像データ受信手段、画像処理データ送信手段）、２１は携帯電話機（携帯端末）、２２はＣＰＵ（制御手段）、２７はディスプレイ（表示手段、報知手段）、３１はカメラ（撮像手段）である。
【図１】
0004449227.tif 000002
【図２】
0004449227.tif 000003
【図３】
0004449227.tif 000004
【図４】
0004449227.tif 000005
【図５】
0004449227.tif 000006
【図６】
0004449227.tif 000007
【図７】
0004449227.tif 000008
【図８】
0004449227.tif 000009
【図９】
0004449227.tif 000010
【図１０】
0004449227.tif 000011